(57)【要約】【課題】  メガホンを握る部位に吊り下げ紐を取り付けるための紐取付部が突設されていたりすることにより、メガホンを握った時に紐取付部のような突部が手に当たり、違和感を覚えたりするような問題を解消する。また紐取付部に付けられた吊り下げ紐がメガホンを持ち直したり握り直したりする際に邪魔にならないようにする。また呼気で吊り下げ紐が濡れないようにする。【解決手段】  拡声筒と吹き口とから成るメガホンであって、吹き口にこの吹き口を横断する紐通し筒が設けられているメガホンとする。またこの紐通し孔に吊り下げ紐を通したメガホンとする。吊り下げ紐が吹き口の内部を横断するも、吊り下げ紐は紐通し筒の内部にあるために、呼気で濡れたりすることがない。【選択図】図１
2007156376.tif 000002
【特許請求の範囲】
【請求項１】
拡声筒と吹き口とから成るメガホンに於いて、吹き口に吹き口を横断する紐通し筒が設けられていることを特徴とする、紐通し筒を備えたメガホン。
【請求項２】
拡声筒と吹き口とから成るメガホンに於いて、吹き口に吹き口を横断する紐通し筒が設けられていると共に、この紐通し筒に吊り下げ紐が通されていることを特徴とする、紐通し筒を備えたメガホン。
【請求項３】
拡声筒と吹き口とから成る前記メガホンが２つと、１つの吊り下げ紐と、から成り、各々のメガホンの前記紐通し筒に１本の吊り下げ紐が通されて２つのメガホンが繋げられている、請求項１または請求項２に記載の紐通し筒を備えたメガホン。
【請求項４】
前記紐通し筒の前記壁面に現われる口の部分が内方に向けてアールが付くように形成されている、請求項１または請求項２に記載の紐通し筒を備えたメガホン。
【請求項５】
前記吹き口の付近の前記壁面にリブが形成されており、このリブの位置に前記紐通し筒の壁面に現われる口の部分が形成されている、請求項１または請求項２に記載の紐通し筒を備えたメガホン。
【請求項６】
ブロー成型により拡声筒と吹き口とから成るメガホンを成型するメガホンの製造方法であって、吹き口に吹き口を横断する紐通し筒を設けるようにブロー成型した後、拡声筒と吹き口とを開口する、紐通し筒を備えたメガホンの製造方法。
【請求項７】
ブロー成型により拡声筒と吹き口とから成るメガホンを成型するメガホンの製造方法であって、吹き口に吹き口を横断する紐通し筒を設けるようにブロー成型した後、拡声筒と吹き口とを開口すると共に、前記紐通し筒に吊り下げ紐を通す、紐通し筒を備えたメガホンの製造方法。
【発明の詳細な説明】
【技術分野】
【０００１】  この発明は吊り下げ紐が付いたメガホンに係り、特に握る時に吊り下げ紐やその取り付け具が邪魔にならないと共に、唾液によって吊り下げ紐が濡れないようにしたメガホンに関する。
【背景技術】
【０００２】  従来のメガホンは拡声筒と吹き口とから成り、このものを首から吊り下げるための吊り下げ紐が設けられているものが主流である。メガホン本体部に吊り下げ紐を取り付けるには、例えば特開２００２−２５８８６７号公報のメガホン９のように、拡声筒９０と吹き口９１が小径部９３で接続した形状を呈するメガホン９の、拡声筒９０の小径部９３の極近傍に吊り下げ紐を通すための孔開きの紐取付部９２を突設し、これに吊り下げ紐９４を取り付けるようにしている（図７を参照）。【０００３】  また特開２０００−３５２９８５号公報のメガホンでは、そのくびれ部分（拡声筒と吹き口との境界付近）にリング状の止着部材３をはめ込んで、この止着部材３にストラップすなわち吊り下げ紐の端部を止着している。或いはまたメガホンのくびれ部分に吊り下げ紐を巻き付けて縛るなどしてこれを取り付けている（何れも図示せず）。
【特許文献１】特開２００２−２５８８６７号公報（図２、紐取付部１ｅ）
【特許文献２】特開２０００−３５２９８５号公報（図１、止着部材３）
【発明の開示】
【発明が解決しようとする課題】
【０００４】  しかしながら上述した特開２００２−２５８８６７号のメガホンでは、メガホン９本体の小径部９３の側外側面に紐状物を取り付けるための紐取付部９２が突設されているが、この小径部はメガホンを手で持つ際に握られる部位でもあるため（自然に手がその位置に行く）、突設された紐取付部９２が手に当たり不快な思いをすることがままある。このことは上述した特開２０００−３５２９８５号のメガホンでも同様であって、くびれ部分を握った手にリング状の止着部材が当たると言う問題がある。また吊り下げ紐をメガホンのくびれ部分に巻き付けて縛っているものでは、やはり吊り下げ紐そのものや結び目に違和感を覚えることがある。また吊り下げ紐９４が上述したようにくびれ部分から出ていることによって、メガホンを持ち直したり握り直したりする際に、吊り下げ紐が邪魔になることがある。【０００５】  そこで当発明者は、メガホンを握った時に紐取付部のような突部が手に当たって違和感を覚えたりすることがなく、またメガホンを持ち変える際には吊り下げ紐が邪魔にならないようにするべく、拡声筒と吹き口とから成るメガホンに於いて、吹き口の付近の壁面に紐通し孔が開孔されており、この紐通し孔に吊り下げ紐が通されているメガホンとすれば良いと言う着想を得た。【０００６】  確かにこの着想は優れている。上述したように従来のメガホンでは、吊り下げ紐が小径部くびれ部分に取り付けられるようになっていたが、この着想によればこの吊り下げ紐の取り付け位置を吹き口の方へ移したものとしている。これにより小径部くびれ部分には突起部分などが何もなくなり、ここを握った時に違和感を感じるようなことはなく、痛みを感じるようなこともない。すなわち安全性が高まると言う効果を奏する。またこの紐通し孔に吊り下げ紐を取り付けた時には吊り下げ紐は吹き口の方へ移動しているため、小径部くびれ部分を持ち変える時に吊り下げ紐が邪魔になるようなことがなくなっている。なお吊り下げ紐は吹き口を吹く時の邪魔にはならない。【０００７】  しかしながらこの構造では吊り下げ紐が吹き口の内部を横断することになり、メガホンを吹く者の唾液でこの部分の吊り下げ紐が濡れる場合がある。またこのようにして濡れた吊り下げ紐にホコリ等が付着することがある。このようなことが気になるのであれば吊り下げ紐が唾液で濡れないようなものにする必要がある。従ってこの発明の目的はこのような課題点を解決することにある。
【課題を解決するための手段】
【０００８】  上記課題は、拡声筒と吹き口とから成るメガホンに於いて、吹き口にこの吹き口を横断する紐通し筒が設けられているメガホンとすることにより達成される。なおこの紐通し筒に吊り下げ紐を通して成るものもこの発明の権利範囲内のものである。【０００９】  この発明によれば、吊り下げ紐の取り付け位置を吹き口の方へ移したものとしている。これにより小径部くびれ部分には突起部分などが何もなくなり、ここを握った時に違和感を感じるようなことはなく痛みを感じるようなこともない。すなわち安全性が高まっている。またこの紐通し孔に吊り下げ紐を取り付けた時には、吊り下げ紐は吹き口の方へ移動しているため小径部くびれ部分を持ち変える場合に吊り下げ紐が邪魔になるようなことがなくなっている。特に吹き口の内部を横断する吊り下げ紐は紐通し筒の中を通っているため、吊り下げ紐が呼気に直接触れることがなく、従って吊り下げ紐が唾液で濡れることがない。なお紐通し筒には吹き口を吹くのに何等の問題もない。【００１０】  なお請求項１または請求項２のメガホンに於いて、拡声筒と吹き口とから成る前記メガホンが２つと、１つの吊り下げ紐と、から成り、各々のメガホンの前記紐通し筒に１本の吊り下げ紐が通されて２つのメガホンが繋げられているものとすることが出来る。この構成によれば、２つのメガホンを左右に分けるなどして首から吊り下げることが可能であるし、特にこの状態で手で握ったり持ち変えたりしても、吊り下げ紐の取り付け位置が吹き口の方にあるために、上述したような問題が両手に付いて起こらない。しかも２つのメガホン共に吊り下げ紐が唾液で濡れるようなことがなくなっている。【００１１】  このような構成のメガホンは、ブロー成型やその他の成型方法によって成型することが可能である。すなわち吹き口に吹き口を横断する紐通し筒を設けるようにブロー成型した後、拡声筒と吹き口とを開口するようにすると製造が容易である。さらにこのような紐通し筒を設けたメガホンに吊り下げ紐を通すようにすることが出来る。【００１２】  なおメガホンをブロー成型した後、吹き口の付近の壁面のほぼ２回対称の位置に紐通し孔を開孔して、この２つの紐通し孔を結ぶように別体の紐通し筒を取り付けるようにしても、この発明を構成することが出来る。【００１３】  次に請求項１または請求項２のメガホンに於いて、前記紐通し筒の前記壁面に現われる口の部分が、内方に向けてアールが付くように形成されているものとすることが出来る。上述した解決手段によってすでに問題点は解決されているのではあるが、さらにこの紐通し筒の前記壁面に現われる口の部分が内方に向けてアールが付けられているために、紐通し筒の前記壁面に現われる口の上を手で握ったとしても、違和感を覚えたりするようなことがなく、安全性が極めて高く、紐通し筒の口の見た目もより良いものとなるなどの効果を奏する。【００１４】  次に請求項１または請求項２のメガホンに於いて、前記吹き口の付近の前記壁面にリブが形成されており、このリブの位置に前記紐通し筒の壁面に現われる口の部分が形成されているものとすることが出来る。リブを吹き口の外壁面の回りに設けることによって、この上を握った時のグリップ性能が向上する。な���リブが凸リブであって、この凸リブの上に掛かるように前記紐通し筒の口の部分を設ける場合には、凸リブの紐通し筒の口に臨む部位を口の方向に丸めたりカットしたりすると角が出来ずに手触りが良くなる。
【発明の効果】
【００１５】  この発明ではメガホンの吹き口に吹き口を横断する紐通し筒を設けているため、小径部くびれ部分には何もなくなり、握りやすく持ち替えの際にも吊り下げ紐が邪魔になることもない。また前記紐通し孔を壁面の内側に向けてアールが付くように形成したものでは、この上を手で握ったとしても違和感がなく安全性が高く、紐通し孔の見た目も良い。特に吹き口の内部を横断する吊り下げ紐を紐通し筒の中に通しているため、吊り下げ紐が呼気に直接触れることがなく、従って吊り下げ紐が唾液で濡れることがないと言う優れた効果を奏する。【００１６】  この他、紐通し筒には次のような効果もある。すなわち吊り下げ紐を通す位置が決まっているため吊り下げ紐の取付作業が楽である。また紐通し筒は吊り下げ紐を傷めるようなことが少ない。
【発明を実施するための最良の形態】
【００１７】  以下ではこの発明の幾つかの実施形態を図面に基づいて説明するが、この発明はこれ等の実施形態に限定されるものではなく、この発明の思想の範囲内に於いて自由に改変することが可能である。【００１８】  （第１実施形態）
このメガホン１の外形的な特徴は、拡声筒１の長さの半分もの長さを有する比較的長い吹き口１０が設けられている点にある。拡声筒１も吹き口１０も共に、両者の接続部である小径部１１に向けてその径が細くなって行くようなデザインとなっている。この吹き口１０の前記小径部１１とは反対側の端部すなわち吹き口付近には、吹き口１０を横断するようにして紐通し筒１２が形成されており、この紐通し筒１２に吊り下げ紐２が通されて輪状に止められている（図１）。また図２で符号１３は紐通し筒１２の口を指すが、この口１３はこの部位を手で握っても滑らかで安全性が高いものとなるようにメガホンの吹き口１０の壁面に内側に向けてアール１４が付くように形成されている（図３）。また符号１５はこの口１３の内側のアールを指す。なおこのメガホン１は合成樹脂成型に成るものであるが、材質的にはこの他にも木や紙などが任意に採用可能である。【００１９】  このメガホン１は非常にユニークな形状のものであると同時に、従来のように吊り下げ紐を通すための紐取付部が、手で握る部位である小径部１１付近に突設されていず、吹き口付近に開孔されたものとされていることにより、手で握りやすくこの時の感触も良好である。またメガホンの小径部１１を持ち直したり握り直したりする際に、吊り下げ紐２が邪魔になるようなことも起こらない。【００２０】  特に吹き口１０を横断する吊り下げ紐２は、吹き口１０を横断する紐通し筒１２の内部に通されているため、吹き口１０内を通る呼気に吊り下げ紐２が直接触れることがなく、吊り下げ紐２が唾液で濡れることがない、と言う特長を有する。【００２１】  さてこのようなメガホン１の製造方法に付いて、図４で示したような形状のメガホン、すなわち拡声筒１と吹き口１０との接続部である小径部１１に向けて、拡声筒１も吹き口１０も共にその径が細くなって行くような形状のメガホンを合成樹脂のブロー成型によって製造するが、この際に吹き口１０を横断する紐通し筒１２を設けるようにする。そして図の矢線で示した位置で、拡声筒１の口にある切除片１６を切除すると共に、吹き口１０の口にある切除片１７を切除するのである。【００２２】  （第２実施形態）
このメガホンは上述した第１実施形態のメガホン１を２つ、１本の吊り下げ紐２の両端部に止めている点に特徴を有する。この場合各々のメガホン１の紐通し筒１２に吊り下げ紐２を通してから全体を環状に結ぶようにしている（図５）。【００２３】  このようにして２つのメガホン１，１を１つの吊り下げ紐２によって首に吊り下げることが出来る。更にこの２つのメガホン１，１を拍子木のように使用して互いに叩き合わせることで音を出すことが出来る。なお上述したこのメガホン１の外形的な特徴によって、この拍子木としての使用の際にも握りやすいと言う格別の効果がある。【００２４】  （第３実施形態）
次に図６で表わした第３実施形態のメガホンでは、吹き口３０の回りに４本のリブ３２が突設されている。これ等の４本のリブ３２の内、吹き口３０の端部から２番目のリブの上に紐通し筒の口３４が開孔されているが、この場合この口３４に向けてリブ３２の端部に傾斜部３３が設けられている点が特徴的である。なお符号３は拡声筒であり、符号３１は小径部を指す（図６）。【００２５】  リブ３２はデザインであると共に滑り止めとしての実用的な効果を出すべく設けられているが、リブ３２の上に紐通し筒の口３４を開孔しただけではこの部位にリブ３２の段差を生じて、この上を握った時にリブ３２の切り口（紐通し筒の口３４の縁部）で痛い思いをすることもあり得るため、このような場合を想定してリブ３２のこの部位に傾斜部３３を設けているのである。
【産業上の利用可能性】
【００２６】  なお上述した実施形態では、拡声筒の長さの半分もの長さを有する比較的長い吹き口が設けられているメガホンを例に採ったが、メガホンの形状は基本的には任意である。またこの発明のメガホンはいわゆるスポーツ応援グッズであるから、筒状の握り部分を有するスポーツ応援グッズであればこの発明の構成を採用することが可能である。また吊り下げ紐の種類は特に限定されないから、木綿の撚り線、合成樹脂繊維の編み線などの他にも、リボン紐やボールチェーンなどを任意に使用可能である。
【図面の簡単な説明】
【００２７】
【図１】  この発明の第１実施形態を吹き口１０の側から見た説明図である。
【図２】  同実施形態の外観を表わした説明図である。
【図３】  同実施形態の紐通し筒１２の口１３の周辺部を表わす断面図である。
【図４】  同実施形態の製造方法を示す説明図である。
【図５】  この発明の第２実施形態の外観を表わした説明図である。
【図６】  この発明の第３実施形態の吹き口３０の周辺部を表わす説明図である。
【図７】  従来例の説明図である。
【符号の説明】
【００２８】  １    拡声筒
１０  吹き口
１１  小径部
１２  紐通し筒
１３  口
１４  アール
１５  アール
１６  切除片
１７  切除片
２    吊り下げ紐
３    拡声筒
３０  吹き口
３１  小径部
３２  リブ
３３  傾斜部
３４  口
【図１】
2007156376.tif 000003
【図２】
2007156376.tif 000004
【図３】
2007156376.tif 000005
【図４】
2007156376.tif 000006
【図５】
2007156376.tif 000007
【図６】
2007156376.tif 000008
【図７】
2007156376.tif 000009